Podtech/llm-jp-corpus-v4-ja_patent huggingface dataset:
(57)【要約】【課題】  スノーボードのノーズ方向に圧力がかかることによって、しなりが発生しそれにより走行上の急激な滑走上のカーブが生じてしまうという問題点及び、スノーボードがしなりを形成させた後に元の形状に戻ろうとするボード自体の復元力によって、強い反発が発生してしまうという問題点をなくすこと。【解決手段】  スノーボードのノーズ部分（４）の側面（１）に直線を設け、それとセンター部分（５）の側面（３）の曲線とを繋ぐのに自然な流れにする為、その間の部分（６）の側面（２）に、小さな弧を描いた２００乃至３００個の曲線を設けたことを特徴とする。【選択図】図１
0003132524.tif 000002
【実用新案登録請求の範囲】
【請求項１】
スノーボードのノーズ部分（４）の側面（１）を直線とし、それとボードのセンター部（５）の側面（３）の曲線とを繋ぐのに自然な流れとする為、ノーズ部分（４）とセンター部分（５）とを繋ぐ接合部分（６）の側面（２）に、小さな弧を描いた２００乃至３００個の曲線を設けたスノーボード。
【考案の詳細な説明】
【考案の詳細な説明】
【技術分野】
【０００１】  この発明は、ボードの側面部分に複数の曲線や直線を組み合わせ、ボードのしなりをなくし、滑走上のバランスをより取りやすくさせ、且つ転倒の危険度を大きく減少させたスノーボードである。
【背景技術】
【０００２】  従来のスノーボードは、その側面部分が半径６乃至１０メートル又は８乃至１５メートルの円周の弧の曲線を形成していた。
しかしながらこの形状では、滑走時に於いて重力によりボードの進行方向に圧力がかかってしまう為、ボード全体に均等な圧力をかける事が出来なかった。
【発明が解決しようとする課題】
【０００３】  その為に従来のスノーボードには、滑走時にしなりが生じてしまい、その為走行上の急激なカーブが起きてしまった。また、ボード自体が、しなった状態からその復元力により元に戻ろうとする為によって起こる、強いボードの反発が生じる為、それによってライダーがバランスを逸してしまい、その結果転倒の原因となっていた。
【課題を解決する為の手段】
【０００４】  そこでスノーボードの側面を、単一の弧の曲線にするのではなく、直線及び複数の曲線を組み合わせることにより、ノーズ方向にかかる過度の圧力をボードのセンター部分にかかるようにさせたものである。
これにより、ライダーがバランスを取り易くさせた。
【考案を実施するための最良の形態】
【０００５】  以下、本発明の実施の形態について説明する。
スノーボードのセンター部分（５）の側面（３）には、従来型の曲線を設ける。
そして、ノーズ部分（４）の側面（１）は、直線とする。
さらにその直線部分（１）と曲線部分（３）との接合面を、自然な流れにする為、センター部分（５）とノーズ部分（４）の接合部分（６）の側面（２）に、小さな弧を描いた２００乃至３００個の曲線を設けさせたものである。
【発明の効果】
【０００６】  これによって、従来までノーズ部分（４）に過度にかかっていた圧力を分散させ、且つ大きな圧力をセンター部分に移動させてくる事が可能となった。
その為、これまで見受けられたスノーボードのしなりもなくなったのである。
従ってスノーボードのライダーは、これまでの様にボードのしなりが原因でバランスを逸するという危険度が著しく減少し、且つその事によって惹き起こされる重度の傷害を負う危険性をも減少させる事が可能となった。
【図面の簡単な説明】
【図１】  本発明の平面図である。
【図２】  本発明の側面図である。
【符号の説明】
１  直線部分
２  ２００乃至３００個の小さな曲線によって形成された側面部分
３  曲線部分
４  ノーズ部分
５  センター部分
６  接合部分
【図１】
0003132524.tif 000003
【図２】
0003132524.tif 000004
(57)【要約】【課題】      従来の柩はご遺族等がご遺体にふれたり、柩の中に遺品などを入れる際に柩のフタをその都度取り外す必要があった。【解決手段】  柩のフタの窓を可動式とする。これによりフタを取り外すことなく窓の部分よりご遺体にふれたり、柩の中に遺品などを入れることが可能となる。【選択図】図１
0003132523.tif 000002
【実用新案登録請求の範囲】
【請求項１】
フタの窓がフタの裏側よりガイドを通じて可動式となっている柩。
【考案の詳細な説明】
【技術分野】
【０００１】  本考案は、フタの窓を可動式とした柩に関する。
【背景技術】
【考案の開示】
【考案が解決しようとする課題】
【０００２】  現在の柩では、ご遺体にふれたり、柩の中に遺品等を入れる際にその都度、フタを取り外す必要があった。そのため葬儀の作業効率に影響がでていた。【０００３】  本考案は、このような必要をなくし、作業を効率的にすることを目的とするものである。
【課題を解決するための手段】
【０００４】  そして、本考案は上記目的を達成するために窓部分を可動式とし、フタを取り外すことなくご遺体にふれたり、柩の中に遺品等を入れることを可能としたものである。
【考案の効果】
【０００５】  上述したように本考案の可動式窓は、フタを取り外すことなくご遺体にふれたり、柩の中に遺品等を入れることが出来、葬儀の作業効率が改善出来る。
【考案を実施するための最良の形態】
【０００６】  図１において、柩のフタの裏側にガイドを作製し、窓がガイドを通って可動する。
【図面の簡単な説明】
【０００７】
【図１】本考案の実施形態を示す柩のフタを裏側から見た外観図
【符号の説明】
【０００８】  １  窓が通常の位置にある状態
２  窓を可動させた状態
【図１】
0003132523.tif 000003
(57)【要約】【課題】水平にのびる粉砕シリンダ内に、軸周りと軸方向に間隔をおいて放射状にのびる多数の攪拌ピンを取り付けた攪拌回転軸を同心的に設置してなる横型ボールミルにおける攪拌ピンの頭部の摩耗を遅くして、寿命を長くする。【解決手段】攪拌ピン付きの攪拌回転軸を、軸部１６より大径の頭部１５を有するボルトからなる攪拌ピン１４を軸周りに９０°の間隔をおいてねじ締着したキーボス１７の多数個を、キー溝１３付きの攪拌回転軸１２に密接状態で装着してキー２０で固定することにより形成する。【選択図】図２
0003132558.tif 000002
【実用新案登録請求の範囲】
【請求項１】
水平にのびる粉砕シリンダ内に、軸周り及び軸方向に間隔をおいて放射状にのびる多数の攪拌ピンを取り付けた攪拌回転軸を同心的に設置してなる横型ボールミルであって、攪拌ピンの頭部を軸部より大径にしてなる、横型ボールミル。
【請求項２】
軸部より大径の頭部を有する攪拌ピンが、攪拌回転軸に直接又は間接的にねじ締着可能なボルトである、請求項１記載の横型ボールミル。
【考案の詳細な説明】
【技術分野】
【０００１】
この考案は、主としてボールによる衝撃と摩擦を介して粉砕材料を粉砕する横型ボールミルの改良に関する。
【背景技術】
【０００２】
この種の横型ボールミルとしては、水平にのびる粉砕シリンダ（ベッセル）内に、多数の攪拌ピン付きの攪拌回転軸を同心的に設置し、粉砕シリンダ内にボールと粉砕材料を装入した状態で、攪拌回転軸の回転に連動する攪拌ピンの水平軸線周りの回転によりボールと粉砕材料を攪拌し、これにより運動エネルギを付与したボールから粉砕材料に衝撃や摩擦を付与して粉砕するものが知られている（例えば特許文献１参照）。
【０００３】
しかるにこの公知の横型ボールミルでは、攪拌ピンのボールに付与する運動エネルギは、頭部（先端部）側が大きいため、頭部は摩耗の進みが早く、頭部の摩耗状態に基づいて取り替える形になっている。
【特許文献１】実開平５-２２０４１号公報
【考案の開示】
【考案が解決しようとする課題】
【０００４】
この考案は、公知の横型ボールミルに認められる上記のような攪拌ピンの頭部の摩耗の進行の早さの点に鑑み、攪拌ピンの頭部の摩耗を遅延化して、取替えまでの寿命（使用期間）を長くすることを課題としている。
【課題を解決するための手段】
【０００５】
この考案によれば、上記の課題は、実用新案登録請求の範囲の請求項１に記載のように、水平にのびる粉砕シリンダ内に、軸周り及び軸方向に間隔をおいて放射状にのびる多数の攪拌ピンを取り付けた攪拌回転軸を同心的に設置してなる横型ボールミルにおいて、攪拌ピンの頭部を軸部（胴部）より大径にすることによって解決する。
【０００６】
この考案に係る横型ボールミルにおいては、請求項２に記載のごとく、軸部より大径の頭部を有する攪拌ピンを、攪拌回転軸に直接又は間接的にねじ締着可能なボルトで構成することが望ましい。
【考案の効果】
【０００７】
請求項１に記載の攪拌ピンの軸部より大径の頭部付きの構成によれば、頭部の強度がアップし、摩耗の進度が緩慢になるとともに、少なくとも頭部の軸部に対する張り出し部が摩耗するまでの期間は、使用可能な期間が延びる。またボールと粉砕材料に接触する表面積が大きく、その攪拌効率がアップする。
【０００８】
また請求項２に記載の攪拌ピンのボルト構成によれば、専用の攪拌ピンを製作する必要がないとともに、着脱の容易化の点から、取替えが簡単である。
【考案を実施するための最良の形態】
【０００９】
図面は、この考案に係る横型ボールミルの好適な実施形態の要部を略示したもので、ロックナット１９付きのボルトからなる攪拌ピン１４を軸周りに９０°の間隔をおいてねじ締着したねじ穴（図示せず）付きのキーボス１７の多数個を、キー溝１３付きの攪拌回転軸１２に密接状態で装着してキー２０で固定することにより形成した攪拌ピン１４付き攪拌回転軸１２を、粉砕シリンダ１１内に同心的に設置した形態からなっている。
【００１０】
この図示の形態では、ボルトからなる攪拌ピン１４の頭部１５は、軸部１６より大径で外方に張り出しており、強度が高く、表面積も大きい。従って頭部１５が、ボール２１と粉砕材料（図示せず）の攪拌に基づいて、取替えが必要な状態に摩耗するまでの期間は長いとともに、ボール２１と粉砕材料の攪拌効率も高い。
【００１１】
この考案に係る横型ボールミルは、このほか、攪拌ぴんとしてのボルトを直接攪拌回転軸自体に形成するねじ穴にねじ締着するなど、種々の形態で実施することができるもので、上記の形態に限定されるものではない。
【図面の簡単な説明】
【００１２】
【図１】この考案に係る横型ボールミルの好適な実施形態の略部分側面図である。
【図２】図１に示す実施形態における攪拌ピン付き攪拌回転軸の略正面図である。
【符号の説明】
【００１３】
１１  粉砕シリンダ
１２  攪拌回転軸
１３  キー溝
１４  攪拌ピン
１５  頭部
１６  軸部
１７  キーボス
１８  キー溝
１９  ロックナット
２０  キー
２１  ボール
【図１】
0003132558.tif 000003
【図２】
0003132558.tif 000004
(57)【要約】【課題】炭入畳の、炭の増量による機能向上のため、畳床の強度をを維持したまま炭の増量を可能とする。【解決手段】炭の持つ居住性に優れ、健康的な各機能は周知のところであるが、これを畳に活用することは畳の強度を維持しつつ、構成する畳表、畳床又はその一部となるシート等構成材に炭を含有させることとなるが、炭入ハニカム構造畳芯を用いることにより最大限の炭増量が可能となる。【選択図】図２
0003135504.tif 000002
【実用新案登録請求の範囲】
【請求項１】
畳床を構成する畳芯を、上面は開放、下面はパネル一体化したハニカム構造骨格の空洞内に炭を挿入し上面に高通気性の不織布を覆ったものとすることで、畳床に求められる強度を維持しつつも、畳床断面長あたりの炭量を従来品より多く内蔵可能となることにより炭の持つ効果である調湿消臭について炭の増量による能力を強化し、かつ特別の設備を必要としないため製造コストが従来品と同等であることを特徴とする、炭入ハニカム構造畳芯を用いた畳床。
【考案の詳細な説明】
【技術分野】
【０００１】  本考案は、再生紙を材料とし、上面は開放、下面はパネルと一体化したハニカム構造骨格の空洞内に炭を挿入し上面に高通気性の不織布を覆った畳芯を用いた畳床に関するものである。
【背景技術】
【０００２】  炭の持つ居住性に優れ、健康的な各機能は周知のところであるが、これを畳に活用することは、畳を構成する畳表、畳床又はその一部となるシート等構成材に極めて複雑な構造又は含有のための工程を必要とすることになり、炭の有用機能を付加しない一般畳と比べ従来製造段階で割高な価格となっていた。【０００３】  畳床に、炭の持つ居住性に優れ健康的な各機能をより享受しようとするためには、可能な限り多くの炭を内蔵することであるが、畳床に求められる構造的強度を維持しつつ、炭の外気との接触面を確保する炭の組み込み方法については実用な技術化がされていない。
【考案の開示】
【考案が解決しようとする課題】
【０００４】  炭の機能を生かす畳床を生産するためには、構造又はその製造工程に対応するための既存生産設備の新設・変更等経済的及び技術的負担が発生することである。【０００５】  畳床が、従来品と強度、形状、取扱いが変わりはないまま従来品と比べ炭を増量させることを解決しようとするものである。
【課題を解決するための手段】
【考案の効果】
【０００６】  炭入ハニカム構造畳芯の製造は、炭を挿入し、上面開放部を通気性を有した不織布で覆う工程を新たに用意する必要がある以外、次工程以降の畳床の製造は従来品と同等な取扱いが可能である。即ち、本考案の畳床の価格増加要因は炭入ハニカム構造畳芯材料及び製造費と一般の畳芯材料及び製造費の差額のみである。【０００７】  ハニカム構造の空洞部に炭を挿入することで従来品と強度、形状、取扱いが変わりはないまま炭の増量が可能となる。
【考案を実施するための最良の形態】
【０００８】  複数の構造材より構成される畳床は、炭入ハニカム構造畳芯の直上部に通気性を考慮した穴あきインシュレーションボードを配置し、当ボードは畳床上部表皮となり直接畳表と接する。前述の階層的構造により、外気と炭の通気が安定して実現できる。
【実施例】
【０００９】  図１は炭入ハニカム構造畳芯である。図２は炭入ハニカム構造畳芯を用いた畳床である。
【図面の簡単な説明】
【００１０】
【図１】炭入ハニカム構造畳芯の一部切欠断面図である。
【図２】本考案の炭入ハニカム構造畳芯を用いた畳床の一部切欠断面図である。
【符号の説明】
【００１１】１ハニカム
２炭
３不織布
４パネル
５炭入ハニカム構造畳芯
６穴あきインシュレーションボード
７ポリスチレンフォーム
８木製ボード
９裏無地シート
【図１】
0003135504.tif 000003
【図２】
0003135504.tif 000004
(57)【要約】【課題】  従来から身体に遠赤外線を照射して発汗作用を促すことにより、健康増進の効果があることが知られている。このような遠赤外線を放射する代表的なものとしては、例えば遠赤外線サウナなどが知られている。このような遠赤外線サウナの原型を採用し、身体をカプセルやドームで覆い、その内面に設けられた面ヒータから遠赤外線を照射する温熱健康器具が知られている。しかし、このような温熱健康器具の使用環境は高温、多湿となるため、大腸菌などの雑菌が多数繁殖し衛生的な面において、近年社会問題に発展した。【解決手段】  本考案は内部に発熱体を有するハウジングに於いて、殺菌装置を内蔵し、殺菌装置を使用してハウジング内を殺菌・消毒する。【選択図】図２
0003135501.tif 000002
【実用新案登録請求の範囲】
【請求項１】
身体の少なくとも一部を覆い、内部に発熱体（例えば面状ヒータなど）を有するハウジングに於いて、殺菌装置を内蔵し、殺菌装置を使用してハウジング内を殺菌・消毒する事を特徴とする温熱健康器具。
【請求項２】
請求項１において、前記殺菌装置に殺菌灯やオゾン発生装置を使用する事を特徴とする温熱健康器具。
【考案の詳細な説明】
【技術分野】
【０００１】  本考案は殺菌装置を備えた、温熱健康器具に関するものである。
【背景技術】
【０００２】  従来から身体に遠赤外線を照射して発汗作用を促すことにより、健康増進の効果があることが知られている。このような遠赤外線を放射する代表的なものとしては、例えば遠赤外線サウナなどが知られている。このような遠赤外線サウナの原型を採用し、身体をカプセルやドームで覆い、その内面に設けられた面ヒータから遠赤外線を照射する温熱健康器具が知られている（例えば、特許文献１参照）。しかし、このような温熱健康器具の使用環境は高温、多湿となるため、大腸菌などの雑菌が多数繁殖し衛生的な面において、近年社会問題に発展した。
【特許文献１】特開２００６−１４１４９５
【考案の開示】
【考案が解決しようとする課題】
【０００３】  本考案はこのような事情に鑑み、手軽で且つ低コストで大腸菌などの雑菌を殺菌する温熱健康器具を提供することを課題とする。
【課題を解決するための手段】
【０００４】  上記課題を解決する本発明の第１の態様は、身体の少なくとも一部を覆い、内面に発熱体（例えば面状ヒータなど）を有するハウジングに於いて、殺菌装置を内蔵し、殺菌装置を使用してハウジング内を殺菌する事を特徴とする温熱健康器具。【０００５】  かかる第１の態様では、身体を覆うことのでき、内面に面ヒータ等の発熱体を有するハウジングの内部に殺菌装置を内蔵し、ハウジング内に人がいない時に、その殺菌装置を使用する事で、ハウジング内の殺菌を手軽で且つ低コストで行える。【０００６】  本考案の第２の態様は、第１の態様に於いて、前記殺菌装置に殺菌灯やオゾン発生装置を使用する事を特徴とする温熱健康器具。【０００７】  かかる第２の態様は、ハウジング内部の殺菌装置に殺菌灯やオゾン発生装置を使用し、その殺菌灯の照射光或いはオゾン発生装置から生成されたオゾンにより前記ハウジング内を手軽で且つ低コストで殺菌ができる。
【考案の効果】
【０００８】  本考案の温熱健康器具によれば、身体を覆うハウジングに殺菌装置を内蔵し、殺菌装置を使用してハウジング内を殺菌・消毒する事で手軽で且つ低コストで簡単にハウジング内の殺菌ができる
【考案を実施するための最良の形態】
【０００９】  以下に本考案を実施例に基づいて説明する。
【実施例１】
【００１０】  図１は本考案に係る温熱健康器具の概略を示す斜視図である。図３−ａ、図３−ｂ、図２は図１の断面図である。【００１１】  半円筒形状を有するハウジング１の内部には、防水機能を有する殺菌灯５が内蔵されていて、この殺菌灯５の発光部５ａから２５４ｎｍの波長近傍の紫外線が照射されるようになっている。【００１２】  また、殺菌灯用照射窓６は図３−ａのように、ハウジング１に固定されていて、発光部５ａからの光を透過できるような石英ガラスや、金属製のメッシュによりできているか、図３−ｂのように金属棒でできていて、発光部５ａからの光がハウジング内部に届くようになっていて、人が直接発光部５ａを触りにくいようになっている。【００１３】  ハウジング１の内面にはヒータ７が固定されていて、ヒータ７に通電する事でハウジング内の温度を上げる仕組みになっている。また、ヒータ７と殺菌灯５はコントローラ３により制御する仕組みになっている。また、ハウジング１の一端は人間が出入りできるようなっていて、その部分からハウジング内部の熱が逃げないようなカーテン部材２がハウジングに固定されている。【００１４】  このような温熱健康器具１０は図３−ａや図３−ｂに示す様に、寝床４に寝た状態でハウジング１で覆い、ヒータ７からの遠赤外線を身体に照射して使用する。【００１５】  温熱健康器具を使用後、ハウジング内に人がいない状態の時にコントローラを操作して、殺菌灯をハウジング１内に照射することで、ハウジング内及び、寝床を同時に殺菌する。【００１６】  上記実施例１に於いて殺菌灯の部分にオゾン発生装置を用いても同様にハウジング内を簡単に殺菌する事ができる。
【図面の簡単な説明】
【００１７】
【図１】本考案の温熱健康器具の斜視図である。
【図２】温熱健康器具の断面図である。
【図３−ａ】温熱健康器具の断面図である。
【図３−ｂ】温熱健康器具の断面図である。
【符号の説明】
【００１８】  １    ハウジング
２    カーテン部材
３    コントローラ
４    寝床
５    殺菌灯
５ａ  発光部
６    殺菌灯用照射窓
７    ヒータ
１０  温熱健康器具全体
【図１】
0003135501.tif 000003
【図２】
0003135501.tif 000004
【図３−ａ】
0003135501.tif 000005
【図３−ｂ】
0003135501.tif 000006
(57)【要約】【課題】  発光ダイオード（以下、ＬＥＤという）を具備した集積基板の面積を拡縮させて、ＬＥＤの集積基板の利用範囲を拡大させることのできる集積発光ダイオード基板の拡張装置の提供。【解決手段】  基板２上にＬＥＤ（発光ダイオード）１を適宜設け、先端部にストッパー４を備えた保持バー３を前記基板２の任意の方向に設けてなるＬＥＤ基板１０と、実質的に直線状の軌道孔５を設けた収納ケース６と、前記軌道孔５に沿って夫々独立して往復移動自在とされた少なくとも一対以上の前記ＬＥＤ基板１０とにより拡張装置２０を構成したことを特徴とする。【選択図】図１
0003135505.tif 000002
【実用新案登録請求の範囲】
【請求項１】
基板２上にＬＥＤ（発光ダイオード）１を適宜設け、先端部にストッパー４を備えた保持バー３を前記基板２の任意の方向に設けてなるＬＥＤ基板１０と、
実質的に直線状の軌道孔５を設けた収納ケース６と、前記軌道孔５に沿って夫々独立して往復移動自在とされた少なくとも一対以上の前記ＬＥＤ基板１０とにより拡張装置２０を構成したことを特徴とする集積発光ダイオード基板の拡張装置。
【請求項２】
請求項１において、
前記収納ケース６上の適宜位置に、１以上のＬＥＤ（発光ダイオード）１を設けたことを特徴とする集積発光ダイオード基板の拡張装置。
【請求項３】
請求項１及びに請求項２おいて、
２組以上の前記拡張装置２０を互いに９０°回転させて重ねて結着し、実質的に保持バー３の引き出し長さを調整しつつ、前記ＬＥＤ基板１０を四方に拡張させることを特徴とする集積発光ダイオード基板の拡張装置。
【考案の詳細な説明】
【技術分野】
【０００１】  本考案は、発光ダイオード（以下、ＬＥＤという）を具備した集積基板の面積を拡縮させて、ＬＥＤの集積基板の利用範囲を拡大させることのできる拡張装置に関する。
【背景技術】
【０００２】  近年、省エネ・低コストを兼ね備えたＬＥＤの利用範囲は拡大する一方で、今後その応用機器は目覚しく発展することが予想されている。
従来、その中で例えば車内ルームランプなどは、ＬＥＤを多数集積した基板をランプの大小に合わせてその面積に見合った部品が使用されているが、そのルームランプなどはある程度一定の明るさがあれば、それ以上はＬＥＤをたくさん集積する必要がないため、設計時には必ずＬＥＤを拡散配置させてその面積に見合った形態の基板デザインになるように、その都度基板の設計と製造をしていた。
外観上を重視されたデザインのルームランプなどは、大きく見栄えの有るデザインが喜ばれる為、その都度デザインに合わせて基板も作り変えるのが一般的である。
【考案の開示】
【考案が解決しようとする課題】
【０００３】  しかし、その都度ＬＥＤの集積面積を変えたり、ＬＥＤの配置位置を変えて設計製造するには、効率が悪くコスト面でも問題があり、在庫・組み立て時にも無駄な費用が必要になるという問題がある。
そこで本考案は、このような従来の数々の問題、特に、基板の面積の設計をその都度行わないとランプ全体が明るく光って見えるようにはならないため、外観が大きなランプを点灯させたとき、せっかく大きなカバーデザインなのに中心の一部だけが光って見えてしまうと言う問題を解決することのできる集積ＬＥＤ基板の拡張装置を提供することを課題としたものである。
【課題を解決するための手段】
【０００４】  請求項１に記載の本考案は、基板２上にＬＥＤ（発光ダイオード）１を適宜設け、先端部にストッパー４を備えた保持バー３を前記基板２の任意の方向に設けてなるＬＥＤ基板１０と、
実質的に直線状の軌道孔５を設けた収納ケース６と、前記軌道孔５に沿って夫々独立して往復移動自在とされた少なくとも一対以上の前記ＬＥＤ基板１０とにより拡張装置２０を構成したことを特徴とする集積発光ダイオード基板の拡張装置である。【０００５】  請求項２に記載の本考案は、請求項１において、
前記収納ケース６上の適宜位置に、１以上のＬＥＤ（発光ダイオード）１を設けたことを特徴とする集積発光ダイオード基板の拡張装置である。【０００６】  請求項３に記載の本考案は、請求項１及びに請求項２おいて、
２組以上の前記拡張装置２０を互いに９０°回転させて重ねて結着し、実質的に保持バー３の引き出し長さを調整しつつ、前記ＬＥＤ基板１０を四方に拡張させることができることを特徴とする集積発光ダイオード基板の拡張装置である。
【考案の効果】
【０００７】  本考案によれば、ＬＥＤ基板１０に備わっている保持バー３は、ＬＥＤを兼ねた収納ケース６に設けた軌道孔５を自在に動き、ＬＥＤ基板の発光面の範囲を四方に拡縮して発光面積を調整することができる。
それにより、該拡張装置を照明器などに設置する場合、照明装置の基板面積に合わせてＬＥＤ基板面積を設計しなくとも、該拡張装置で様々な面積の発光部をもった照明器に応用ができるため、製造コストも下がり汎用性の高い部品となる。
【考案を実施するための最良の形態】
【０００８】  本考案の実施の形態を図面に基づき説明する。
図１は本考案のＬＥＤを複数備えた基板を、同じくＬＥＤを複数備えた収納ケースに収めた図であり、ＬＥＤが左右に拡張された様子の説明図である。図２は図１の拡張装置を２組互いに９０°回転させてなお、重ねて結着し、ＬＥＤ基板を四方に拡張した状態を示す斜視図である。これらの図において、図１と図２の同じ部分には同一符号を付し、重複する説明は省略する。【０００９】  図１に示すように、基板２の上部にＬＥＤ（発光ダイオード）１が適宜必要数配備され、且つ基板２の水平方向に、その基板２を任意の位置に保持させる為の保持バー３が形成されて、それらによりＬＥＤ基板１０が構成される。そして保持バー３の先端には、ストッパー４が設けられる。
各々のＬＥＤ基板１０は自由に移動しながら任意の幅で留め置くことができると共に、ストッパー４で脱落を防止できる。【００１０】  収納ケース６には、両サイドから軌道孔５が設けられ、ＬＥＤ基板１０の保持バー３の先端が収納ケース６に設けられた軌道孔５の中に嵌合されて、１組の拡張装置２０を構成するものであり、その収納ケース６はその上部の適宜位置に１以上のＬＥＤ（発光ダイオード）１が設けられている。
さらに、２組の拡張装置２０を９０°づつ回転させて、重ねて結着させた図２では、各々のＬＥＤ基板１０を任意の位置に移動させたとき、ＬＥＤ（発光ダイオード）１の発光部位が四方に拡縮することができる。
【産業上の利用可能性】
【００１１】  本考案の集積発光ダイオード基板の拡張装置は、使用先がルームランプに限定されるものではなく、ある程度照度が限定されていながら、外観のデザインに応じて発光面積にボリュームを出したい場合には、使いまわしの効く部品となるため、製造者側にとってコストパフォーマンスのよい製品となる。
【図面の簡単な説明】
【００１２】
【図１】  本考案のＬＥＤを複数備えた基板を、同じくＬＥＤを複数備えた収納ケースに収めた図で有り、ＬＥＤが左右に拡張された様子の説明図。
【図２】  図１の拡張装置を二組互いに９０°回転させて結着し、ＬＥＤ基板を四方に拡張した状態を示す斜視図
【符号の説明】
【００１３】  １  ＬＥＤ（発光ダイオード）
２  基板
３  保持バー
４  ストッパー
５  軌道孔
６  収納ケース
１０  ＬＥＤ基板
２０  拡張装置
【図１】
0003135505.tif 000003
【図２】
0003135505.tif 000004
(57)【要約】【課題】  市販のゴルフボールを使った足裏マッサージ器具を提供する。【解決手段】  市販のゴルフボールを使い足裏や手のひらをマッサージする時に、ボールが安定せず、又飛び出してしまわないように、適度な溝を設けたマッサージ器具を考案した。これにより、いつでも気軽に安定した足裏等のマッサージが可能になる。【選択図】図１
0003135506.tif 000002
【実用新案登録請求の範囲】
【請求項１】
足裏等のマッサージに適した市販のゴルフボールを使って、飛び出す事のないように適度な溝をもうけたマッサージ器具。
【考案の詳細な説明】
【技術分野】
【０００１】  本考案は、マッサージ器具に関するものであり、図１、の１，２のような台に溝を作る事によりゴルフボールが逃げずに安定した足裏等のマッサージが可能になる。
【背景技術】
【０００２】  従来の足裏等のマッサージ器具には、市販のゴルフボールを使った簡単なマッサージ器具がなかった。
【考案の開示】
【考案が解決しようとする課題】
【０００３】  その為、足裏や手のひらをゴルフボールでマッサージすると、ボールが安定せずに力を入れると飛び出してしまう難点があった。
【課題を解決するための手段】
【０００４】  そこで、ゴルフボールが飛び出すことが無く、安定したマッサージを可能にする溝を設けたマッサージ器具を考案した。
【考案の効果】
【０００５】  よって、本考案のマッサージ器具により、ゴルフボールが飛び出すことがなく安定した市販のゴルフボールを使った足裏等のマッサージが可能になる。
【考案を実施するための最良の形態】
【０００６】  本考案のマッサージ器具は、図１、図２に示すように、器具の上面に１，２の溝を設け、消音のために溝の内側にはフェルト等を貼るか水を入れられるようにすると良い又、台の下部には滑り止めをつけると好い。
【図面の簡単な説明】
【０００７】
【図１】  本考案の全体図である。
【図２】  本考案の全体図である。
【符号の説明】
【０００８】    １  ゴルフボールの溝
２  ゴルフボールの溝
３  ゴルフボール
【図１】
0003135506.tif 000003
【図２】
0003135506.tif 000004
(57)【要約】  【課題】  本考案は経済的な負担を軽減するために仏壇の役割を持ち、且つ死者に対する遺徳の想  いが充分に伝わる仏具となる必要がある。  【解決手段】  本考案は、皮付き国産銘木の歪曲な直方体の仏具本体に守り本尊及び梵字、具象的な仏  法である般若心経等の経本、そして死者の戒名、或いは法名、俗名をレーザー彫刻する  ことにより仏壇、位牌の特徴を担い、遺族に対しての経済的、精神的な問題点を解決し  ている。  【選択図】  図１
0003135557.tif 000002
【実用新案登録請求の範囲】
【請求項１】
皮付きの銘木で形成された歪曲な直方体で１側面には皮及び木目を活かし高級感を出し、他３側面は守り本尊及び梵字、般若心経等の経本、戒名もしくは法名、俗名などを彫刻できる広さを有したことを特徴とする仏具。
【請求項２】
前記仏具が、皮付きの銘木に彫刻して約２０ｃｍ程度に形成された請求項１記載の仏具。
【請求項３】
前記仏具の１側面部には死者もしくは遺族に対する守り本尊及び梵字が彫刻された請求項１記載の仏具。
【請求項４】
前記仏具の１側面部には死者を祈祷するための般若心経等の経本が彫刻された請求項１記載の仏具。
【請求項５】
前記仏具の１側面部には戒名もしくは法名、俗名が彫刻された請求項１記載の仏具。
【考案の詳細な説明】
【技術分野】
【０００１】
本考案は、死者の位牌としての役割を果たし、在る時には遺徳を偲ぶ仏具として、又在る時には死者を祈祷するための仏具、そして死者又は遺族をお守りする神様の祈願用として使用される仏具に関する。
【背景技術】
【０００２】
従来は高価な仏壇に仏像及び位牌が据えられ、遺族は祈祷しているが、死者に対して具象的な仏法を提唱することができず、遺族個人の想いを伝えてきた。また経済的に仏壇を購入するには支障が生じる遺族もしくは住居に仏壇を設置するスペースがない遺族は簡易的な台座に位牌のみを設置していた。
【考案の開示】
【考案が解決しようとする課題】
【０００３】
仏壇を購入、設置するには経済的にもある程度の余裕が必要となり、且つ設置スペースの面でも必要になる。さらに死者に対し遺族が充分に死者の遺徳を偲ぶことが可能とならなければならない。従って上記３点を一体化させることより、前述の欠点を解決しようとするものである。
【課題を解決するための手段】
【０００４】
本考案は、皮付き国産銘木の歪曲な直方体の仏具本体に守り本尊及び梵字、具象的な仏法である般若心経等の経本、そして死者の戒名、或いは法名、俗名をレーザー彫刻することにより仏壇、位牌の特徴を担い、遺族に対しての経済的、精神的な問題点を解決している。
【考案の効果】
【０００５】
上述の様に、本考案の仏具に３側面に守り本尊及び梵字、具象的な仏法である般若心経等の経本、そして死者の戒名、或いは法名、俗名をレーザー彫刻することで、仏壇収納スペースが不要となり、簡易的な台座に設置可能となる。しかも本考案の仏具は側面に各々彫刻していることで、法事の折りには戒名部を前面に、死者に祈祷する時は般若心経等の経本を前面に、遺族が神様に祈願する時は守り本尊を前面に回転させることで１体で３役をこなす効果がある。２次効果として転居する際でも仏壇だと労力を伴うが、本考案仏具は移動が容易に行える。
【考案を実施するための最良の形態】
【０００６】
図１〜図３は本考案の実施形態を示す図であり、この図面に基づいて説明する。（１）は皮付きの国産銘木を材料となる仏具本体であり、一般に片手で持つことができて移動が容易である約２０ｃｍ程度のものが好ましい。図１、図２の側面部は彫刻するために、平面仕上げている。図３の木の皮は本考案の仏具に高級感を漂うために、木の特性を活かし皮を残している。図１側面部には死者もしくは遺族の守り本尊を彫刻し、もう一方（２）
の側面部には死者を祈祷する経本般若心経等の経本を彫刻する。図２の側面部には予めお寺に依頼し、死者の戒名、或いは法名、俗名を書いて頂き、それをスキャニングして彫刻する。図１，図２に示す木の皮除く側面部を彫刻することで長い時間が経っても消え褪せることなく、逆におもみが出てくる。
【実施例】
【０００７】
請求項１のように仏具本体が仏壇の役割を担うことで、日常生活の守り本尊への祈願は勿論、死者への祈祷及び法事等で使用できる。
【０００８】
請求項２のように仏具を約２０ｃｍ程度で形成させることにより、持ち運びが容易に行え、転居の際でも労力が要らない。
【０００９】
請求項３のように日本人の風習である日常に欠かせない守り本尊への祈願を本考案仏具の守り本尊を前面に回転することで行える。
【００１０】
請求項４のように般若心経等の経本を前面に据えることで、死者への祈祷を具象的に提唱することができる。また法事の際に経済的負担を考慮し、個人で法事を行うこともできる。
【００１１】
請求項５のように戒名もしくは法名、俗名を彫刻した面を前面に据えることで仏壇の役割を担い法事の際に位牌として、また日常では死者と温かく偲ぶことができる
【００１２】
上記の実施例を統合することで経済的にも負担がかからず、僅かなスペースで本考案の仏具を回転させることでそれぞれの用途を行えるので、遺族の労力も軽減でき、ご老人への身体的苦痛も和らぎ、総括すると先祖に対する遺徳の想いを充分に果たすことができる。
【図面の簡単な説明】
【００１３】
【図１】本考案の実施形態の要部を示す側面図である。
【図２】本考案の実施形態の要部を示す側面図である。
【図３】本考案の実施形態の要部を示す側面図である。
【符号の説明】
【００１４】
１守り本尊
２梵字
３般若心経
４戒名
５木の皮
【図１】
0003135557.tif 000003
【図２】
0003135557.tif 000004
【図３】
0003135557.tif 000005
(57)【要約】【課題】鉛を使用しないで水槽の底に沈めることができ且つ自然さを欠くことのない水草植栽苔玉を提供する。【解決手段】水草１の根元２と錘の役目をする石３とを水生苔（ウィローモス）４で覆い、細い透明のテグス糸５を巻いて形を整えながら水生苔４を石に保持させた水草植栽苔玉。水草植栽苔玉は、石の錘で沈んで簡単に水底に落ち着き、必要に応じて半分程度砂の中に埋めることもできる。水草は、水生苔、苔や水生苔と石との間に伸びて生長していく。【選択図】図１
0003135593.tif 000002
【実用新案登録請求の範囲】
【請求項１】
水に沈む錘となる石とともに、この石の表面に配置された、水草の根元とが水生苔で覆われ、覆われた前記水生苔がこの表面に巻かれたテグスにより石に保持されていることを特徴とする水草植栽苔玉。
【考案の詳細な説明】
【技術分野】
【０００１】
本考案は、表面が水生苔で覆われた苔玉に水草が植栽されている、水槽の底に沈めることができる水草植栽苔玉に関する。
【背景技術】
【０００２】
水槽内に水草を配置して、金魚、熱帯魚などの観賞魚とともに鑑賞して楽しむ場合、水草は水底の砂の中に水草の根を固定して植えることが多い。
【０００３】
水草は一般に水よりも軽いものが多いため、水草をそのまま砂の中に植込んだのでは、水中に浮き上がってしまうことがあるので、水草の根が浮き上がらないように、鉛片を根に巻いて錘にして根を水底に着座させ固定するようにしている。
【０００４】
図２（ａ）は従来の鉛を利用した水草の固定具を示す図、（ｂ）は鉛を巻いた部分の断面図である。
【０００５】
図２において、水草１の根２に鉛片６を直接巻こうとすると、根２を傷つけるおそれがあり、また鉛片６を根２にしっかりと保持できないため、根２をクッション材７で包んでその上から鉛片６を巻いて保持するものである。
【０００６】
ところがこのように水草の根元部分に鉛片を保持すると、有害な鉛の溶出により水質を悪化させて環境問題上よくない。
【０００７】
そこで、鉛を使用しない水草の固定具が提案されている。例えば、特許文献１（特開平１０−１５０８７２号公報）には、板状のプラスティックなどにクサビ状のスリットを設け、このスリットに水草の根本を挟み込み、水槽の底に沈める水草固定具が記載されている。また、引用文献２（特開２００２−１１２６６２号公報）には、根元の吸盤により人口水草を水槽に固定する吸盤固定式人工水草が記載されている。
【特許文献１】特開平１０−１５０８７２号公報
【特許文献２】特開２００２−１１２６６２号公報
【考案の開示】
【考案が解決しようとする課題】
【０００８】
前記の各引用文献に記載された水草固定具や吸盤固定式人工水草は、鉛を使用しないので、鉛の溶出による水質悪化の問題はない。しかしながら、いずれも合成樹脂製で形成されているので、板状のプラスティック、人工水草、吸盤などの自然さを欠く人工的な箇所が存在するために、違和感がある。
【０００９】
そこで、本考案は、鉛を使用しないで水槽の底に沈めることができ且つ自然さを欠くことのない水草植栽苔玉を提供するものである。
【課題を解決するための手段】
【００１０】
本考案の水草植栽苔玉は、水に沈む錘となる石とともに、この石の表面に配置された、水草の根元とが水生苔で覆われ、覆われた前記水生苔がこの表面に巻かれたテグスにより石に保持されていることを特徴とする。
【００１１】
錘の役目をする石と水草の根本とともに水生苔（ウィローモス）で覆い、細い透明のテグス糸を巻いて形を整えながら水生苔を定着させるものである。
【００１２】
本考案の水草植栽苔玉は、石の錘で沈んで簡単に水底に落ち着く。水草植栽苔玉は、必要に応じて半分程度砂の中に埋めることもできる。水草の根は、水生苔、苔や水生苔と石との間に伸びて生長していく。
【考案の効果】
【００１３】
本考案の水草植栽苔玉は、自然の石と自然の水生苔で構成されているため、その自然さにより違和感なしに水草や魚などを鑑賞することができる。
【００１４】
また、本考案の水草植栽苔玉は、錘が従来使用されていた鉛ではなく石であるため、鉛の溶出による水質悪化の問題がない。
【考案を実施するための最良の形態】
【００１５】
本考案の実施例について図面を参照しながら説明する。
【実施例】
【００１６】
図１（ａ）は本考案の水草植栽苔玉を示す全体図、（ｂ）は玉の内部を示す断面図である。
【００１７】
図１において、水草１の根２の中に錘にする石３を入れて玉を形成する。石３の形状は、特に限定されるものではなく、板状の石、球状の石、あるいは上面に起伏が形成された岩をイメージさせる石などのなかから、鑑賞用に適した形状を選択することができる。石３の大きさは、水草１が沈む大きさの範囲で好みや水槽内のレイアウトを考慮して適宜選択できる。
【００１８】
水草１は観賞用として使われているもの、例えば、熱帯魚の観賞用水槽に使用されているアマゾンソード、シャジクモ、キンギョモなどを好みや水槽内のレイアウトなどを考慮して適宜選択する。
【００１９】
次いで、形成された玉の表面をウィローモスなどの水生苔４で覆う。覆った水生苔４は、目立たないように細い透明のテグス５を上から形を整えながら巻き付けて水生苔４を定着させる。なお、水生苔４は、玉の全表面を覆ったり、或いは表面の一部を覆うことにより見映えを変化させてもよい。
【００２０】
従来、観賞用の苔玉を水槽内に沈めることは行われていなかったが、本考案では、水草植栽苔玉を水槽内に沈めることにより、苔玉を覆う水生苔により美しい緑系の茂みが作り出され、水草とともに自然味のある環境が得られる。
【図面の簡単な説明】
【００２１】
【図１】（ａ）は本考案の水草植栽苔玉を示す全体図、（ｂ）は玉の内部を示す断面図である。
【図２】（ａ）は従来の鉛を利用した水草の固定具を示す図、（ｂ）は鉛を巻いた部分の断面図である。
【符号の説明】
【００２２】
１：水草
２：根
３：石
４：水生苔
５：テグス
６：鉛
７：クッション材
【図１】
0003135593.tif 000003
【図２】
0003135593.tif 000004
(57)【要約】【課題】従来のネオンサイン、バックライト、立体的照明反射表示板などを含む各種の表示板の中で、金色や銀色に光る表示板は無く、ディスプレイ業界から実現の要望が強かった。立体的照明反射表示板の刻字部に光分散物質として透明樹脂中に金色や銀色の粒状微粒子を混入した材料で製作すると、表示された色は黄色や灰色になり金や銀に特有の光沢が出ない。本考案の目的は、上記の問題点を解決するためになされたものであり、金色や銀色に輝く立体的照明反射表示板を提供することにある。【解決手段】光分散物質として一辺が１００μm程度の金色または銀色の反射をする扁平状で金属光沢のある微粒子、または金属光沢のある細線の切断片を用いることで、発光ダイオードの光で微粒子の扁平面が強い反射光を出すために、金色に輝いて見える。【選択図】  図１
0003135592.tif 000002
【実用新案登録請求の範囲】
【請求項１】
所定の厚みの透明アクリル板からなる表示板本体と、上記表示板本体の表示面に文字など所定の表示要素が彫り込まれ光分散性物質が塗布された刻字部と、上記刻字部に向けて発光ダイオードを光源として上記表示板の少なくとも一辺の端面方向から光を照射する光源部とを有する立体的照明反射表示板において、光分散物質として金色または銀色の反射をする扁平状で金属光沢のある微粒子を用いることを特徴とする立体的照明反射表示板。
【請求項２】
請求項１の立体的照明反射表示板において、光分散物質として金色または銀色の反射をする金属光沢のある細線の切断片を用いることを特徴とする立体的照明反射表示板。
【考案の詳細な説明】
【技術分野】
【０００１】
本考案は、透明なアクリル板に刻まれた文字などの表示要素に光を照射して、立体的に浮かび上がらせる立体的照明反射表示板に関する。
【背景技術】
【０００２】
インテリアの間接照明具や店の看板などに用いられる表示板の一つに、本考案者の考案による図４に示す立体的照明反射表示板がある。この図の中で、図４ａは立体的照明反射表示板の全体の概観図、図４ｂは立体的照明反射表示板の側面より見た図、である。この立体的照明反射表示板は、所定厚みの透明アクリル板１１、発光ダイオード１２、基板１３、部品収納金具１４、電池１５、刻字部１６、などより構成されている。
【０００３】
この立体的照明反射表示板は、例えば文字や数字、絵柄などの表示要素を刻字部１６に彫り込んで、光分散性物質を塗布した透明アクリル板１１などの透明な板体に、外部から発光ダイオード１２の光を照射することにより、光の乱反射特性を利用して表示要素を立体的に浮かび上がらせるようにしたものであり、立体的表示であるために、ユニークで個性的な表示を簡単にすることができる。
【特許文献１】特願２００５−３６６１５０
【考案の開示】
【考案が解決しようとする課題】
【０００４】
上記の従来の装置は、簡易な構造の立体的照明反射表示板として各種のディスプレイに有効な道具であるが、下記のような問題点がある。
【０００５】
ネオンサイン、内照式看板や、この立体的照明反射表示板などを含む各種の表示板の中で、従来金色や銀色に光る表示板は無く、この分野の専門業者から実現の要望が強かった。そこで立体的照明反射表示板の刻字部１６に光分散物質として透明樹脂中に金色や銀色の粒状の微粒子（一般的な金色や銀色の塗料）を混入した材料で立体的照明反射表示板を製作すると、表示された色は黄色や灰色になり金や銀に特有の光沢が出ないことを試作により確かめている。（金色についての参考文献：佐藤勝昭著、金色の石に魅せられて、裳華房出版）
【０００６】
本考案の目的は、従来の表示板の上記の問題点を解決するためになされたものであり、金色や銀色に輝く立体的照明反射表示板を提供することにある。
【課題を解決するための手段】
【０００７】
上記の目的を達成するために、この考案による立体的照明反射表示板では次のような手段を採用する。
【０００８】
所定の厚みの透明アクリル板からなる表示板本体と、上記表示板本体の表示面に文字など所定の表示要素が彫り込まれ光分散性物質が塗布された刻字部と、上記刻字部に向けて発光ダイオードを光源として上記表示板の少なくとも一辺の端面方向から光を照射する光源部とを有する立体的照明反射表示板において、光分散物質として金色または銀色の反射をする扁平状で金属光沢のある微粒子を用いることとする（請求項１）。
【０００９】
また、光分散物質として金色または銀色の反射をする金属光沢のある細線の切断片を用いることとする（請求項２）。
【考案を実施するための最良の形態】
【００１０】
以下に本考案の実施形態について、図１に基づき説明する。
【００１１】
図１は本考案の立体的照明反射表示板の刻字部の例を示す図である。この中で、図１ａは本考案の刻字部１６全体の概観図、図１ｂは刻字部の断面図である。
【００１２】
刻字部１６は光分散物質として金色または銀色の反射をする扁平状で金属光沢のある微粒子１６aを透明樹脂１６ｂに混入したものである。図２には光分散物質としてこの扁平状で金属光沢のある金色の微粒子１６aの光学顕微鏡写真を示す。この写真のように一辺が１００μm程度の扁平状微粒子の扁平面が発光ダイオードの光で強い反射光を出すために、金色に輝いて見える。また、金属光沢のある細線の切断片を透明樹脂に混入すると、扁平状の微粒子とは異なる反射の効果が得られる。
【実施例】
【００１３】
本考案の扁平状で金属光沢のある金色の微粒子１６ａを使って刻字部を作製した立体的照明反射表示板の例を図３に示す。光分散物質の扁平状微粒子の扁平面が発光ダイオードの光で部分的に強い反射光を発する微細面が多数あるためにキラキラと光り金色に見える。
【産業上の利用可能性】
【００１４】
本考案は、立体的照明反射表示板で従来では無かった金属光沢のある金色や銀色の表示ができるので、例えば結婚式やクリスマス、華やかなイベントなどの表示板として従来にない広い用途に、利用できるほか、光分散物質の種類を変えることにより多様の表現をすることができる。これらの点を考えても、本考案により、立体的照明反射表示板のセールスポイントが明確になり、マーケットの拡大が期待できる。
【図面の簡単な説明】
【００１５】
【図１】本考案の立体的照明反射表示板の刻字部の例を示す図（図１ａ：本考案の刻字部全体の概観図、図１ｂ：刻字部の断面図）
【図２】本考案の光分散物質として扁平状で金属光沢のある金色微粒子の光学顕微鏡写真（２ａ：低倍率写真、２ｂ：高倍率写真）
【図３】本考案の光分散物質で刻字部を作製した立体的照明反射表示板の写真
【図４】従来の立体的照明反射表示板の例を示す図（１ａ：従来の全体の概観図、１ｂ：立体的照明反射表示板の側面より見た図、）
【符号の説明】
【００１６】
１１：透明アクリル板
１２：発光ダイオード（ＬＥＤ）
１３：基板
１４：部品収納金具
１５：電池
１６：刻字部
１６ａ：扁平状で金属光沢のある金色（銀色）の微粒子
１６ｂ：透明樹脂
【図１】
0003135592.tif 000003
【図２】
0003135592.tif 000004
【図３】
0003135592.tif 000005
【図４】
0003135592.tif 000006
(57)【要約】【課題】釣の初心者、老視者でも容易に釣針糸結びが出来る器具を考案したい。【解決手段】本考案は釣針糸結びにおいて釣針軸長が長い場合、手巻き結びが容易であることから、釣針軸の延長機構有し、且、糸結びの巻付け段階でハリスの先輪部分及びハリス後部が外れることの無いよう、先輪の楔挟持部と後部ハリスの抜け防止用鉤状部を設置し、釣の初心者、老視者、一般者の釣針糸結びを容易にする事がきる。【選択図】図５
0003135308.tif 000002
【実用新案登録請求の範囲】
【請求項１】
丸箸棒状の先端部を十字楔状に分割し、当該部に針軸を差し込み針軸の延長機構を設けると共に、巻付けるハリスの後部を安定させるため丸箸棒状の後部に鉤状のハリスの抜け防止を設け、且つ、棒状の先端部より僅か中央寄りに巻付けるハリスの先輪部を挟持する半月状楔部を設けた針軸の延長機構と楔を組合せたことを特徴とする簡易釣針糸結び器。
【考案の詳細な説明】
【技術分野】
【０００１】  本考案は、屋内及び屋外で使用する釣針糸結び器に関するものである。
【背景技術】
【０００２】  釣の初心者、老視者が釣針の糸結びを行うのは容易でなく、市場で流通している釣針糸結び器は可なり高価で且つ取扱に習熟を要する。
【考案の開示】
【考案が解決しようとする課題】
【０００３】  釣針糸結び器において初心者、老視者が使用するのに取扱が容易且つ安価なものを得たい。釣針軸長が数ｃｍの場合糸結びが容易であることをヒントにして釣針糸結び器を考案したい。
【課題を解決するための手段】
【０００４】  本考案は、先端部分が直径約４ｍｍ、且つ、中央部から後端部が直径約６ｍｍ、且つ、全体長さ１５０ｍｍの丸箸棒状本体の先端部分を約５ｍｍ深さの十字楔状に分割し、当該部に針軸を差込む軸延長機構を設けると共に、巻付けるハリスの後部を安定させるため丸箸棒状の後部に鉤状のハリスの抜け防止を設け、且つ、棒状の先端部より約２５ｍｍ中央よりの側面にハリスの先輪を挟持する半月状楔部を設けることにより釣針糸結び器の課題を解決する。
【考案の効果】
【０００５】  上述のように、本考案の簡易釣針糸結び器は初心者、老視者、且つ、一般釣人が釣針糸結びを極めて簡単に行うのに役立つ。
【考案を実施するための最良の形態】
【０００６】  以下、本考案の実施の形態を添付図面に基付いて詳細に説明する。（図１）（図２）は考案による簡易釣針糸結び器の構造図である。潤滑性のある合成樹脂よりなる丸箸棒状本体（符号１）の先端部を十字楔状に加工し（符号２）釣針軸を差込み軸の延長効果を持たせると共に、巻付けるハリスの後部を安定させるため棒状の後部に鉤状ハリス抜け防止（符合３）を設け、且つ、棒状の先端部より僅か中央よりに巻付けるハリスの先輪部を挟持する半月状楔部（符号４）設けた針軸延長機構と巻き付け結びを行う際ハリスのズレを防ぐだめ楔を組合せ、針糸結びが容易に出来る。尚胸ポケットに挿し携帯できるようクリップ部（符号５）を設けた。
【実施例】
【０００７】  （図３）は本器の先端十字楔部（符号２）に釣針の軸（符号６）を差し込む状態を示した図である。釣針の軸は十字楔の中心に向って差し込む（符号７）。【０００８】  （図４）は丸箸棒状本体（符号１）上に仮糸結びを行う状態を示す。ボビンにまかれたハリス（符号８）よりハリスを引き出しハリスの先端を鉤状のハリスの抜け防止（符号３）を通過させ、半月状楔部（符号４）でハリスを挟持して先輪（符号９）をつくり丸箸棒状本体（符号１）の中央部に右旋回スパイラル状に５〜７回巻付けて仮外掛け結び部（符号１０）をつくる、且つ、ハリスの先端部（符号１１）を先輪（符号９）に通す、先輪から出すハリスの長さは３〜５ｃｍ程度である。【０００９】  （図５）は丸箸棒状本体（符号１）の中央部にスパイラルに巻付けて作った仮外掛け結び部のハリスの先端部（符号１１）とハリスの後部（符号１２）を左右の手で持ち、夫々（符号１３）、（符号１４）の方向に同時に引張り丸箸棒状本体（符号１）上に結び目を作る。【００１０】（図６）は丸箸棒状本体（符号１）の中央部に作られた結び目（符号１５）をハリスの先端部（符号１１）を（符号１６）の方向に引張り釣針の軸上に移動させる。【００１１】（図７）は釣針軸上に移動させた結び目（符号１７）をより強く結束させるためハリスの先端部（符号１１）とハリスの後部（符号１２）を同時に（符号１８）（符号１９）の方向に引張る。【００１２】（図８）は釣針糸結びの最終工程を示す。ハリスの先端部（符号１１）の不要な部分（符号２０）をハサミ等で切り、且つ、ハリスの後部を必要長さ（符号２１）を確保した上でハサミ等で切る。
【図面の簡単な説明】
【００１３】
【図１】本考案の簡易釣針糸結び器の構成斜視図を示す。
【図２】本考案の簡易釣針糸結び器の平面図を示す。
【図３】簡易釣針糸結び器への釣針軸の差込図を示す。
【図４】簡易釣針糸結び器の丸箸棒状上での仮糸結びの方法説明した図である。
【図５】丸箸棒状上での糸結びの方法説明した図である。
【図６】糸結び目の釣針軸への移動を示した図である。
【図７】釣針軸上での糸結び目の結束図を示す。
【図８】釣針糸結びの仕上げ図を示す。
【符号の説明】
【００１４】  １  丸箸棒状本体（潤滑性のある合成樹脂製）。
２  十字楔状先端部。
３  鉤状ハリス抜け防止部。
４  ハリス先輪部を挟持する半月状楔部。
５  クリップ。
６  釣針の軸。
７  釣針の軸の差込。
８  ハリス（ボビン巻き）。
９  先輪部。
１０  仮外掛け結び部。
１１  ハリス先端部。
１２  ハリス後部。
１３  ハリス先端部引張方向。
１４  ハリス後部引張方向。
１５  丸箸棒状の上に作った結び目。
１６  結び目の釣針軸上への引張移動方向。
１７  釣針軸上の結び目。
１８  ハリス先端部引張方向。
１９  ハリス後部引張方向。
２０  ハリス先端部不要部の切断。
２１  ハリス後部の必要長での切断。
【図１】
0003135308.tif 000003
【図２】
0003135308.tif 000004
【図３】
0003135308.tif 000005
【図４】
0003135308.tif 000006
【図５】
0003135308.tif 000007
【図６】
0003135308.tif 000008
【図７】
0003135308.tif 000009
【図８】
0003135308.tif 000010